(57)【要約】【課題】ユーザーの使用状況に柔軟に対応できるユニット本棚を提供すること。【解決手段】ユニット本棚１は、組み合わせ可能な同一形状の２つの本棚パーツ２を含む。２つの本棚パーツ２は、それぞれ、鉛直な姿勢で配置された側面板３と、上下に間隔を隔てて水平な姿勢で配置され、側面板３の下端および側面板３を上下に複数個に略等分割する位置にそれぞれ一端が固定された４以上の偶数枚の棚板４と、最も下方に位置する棚板４から順に、上下に隣接する２枚の棚板４の他端同士をひとつ置きに連結する複数枚の連結板５とを含む。２つの本棚パーツ２は、一方の本棚パーツ２の上下が反転され互いの棚板４および連結板５を間に挟んで側面板３同士が対向した状態で、連結板５により連結された２枚の棚板４が上下に交互に重なり合うように組み合わせられる。側面板３間の距離が調整されることによりユニット本棚１全体の幅Ｗ１が変更される。【選択図】図１
2010279649.tif 000002
【特許請求の範囲】
【請求項１】
組み合わせ可能な同一形状の２つの本棚パーツを含むユニット本棚であって、
前記２つの本棚パーツは、それぞれ、
鉛直な姿勢で配置された側面板と、
上下に間隔を隔てて水平な姿勢で配置され、前記側面板の下端および前記側面板を上下に複数個に略等分割する位置にそれぞれ一端が固定された４以上の偶数枚の棚板と、
最も下方に位置する前記棚板から順に、上下に隣接する２枚の前記棚板の他端同士をひとつ置きに連結する複数枚の連結板とを含み、
前記２つの本棚パーツは、一方の前記本棚パーツの上下が反転され互いの前記棚板および連結板を間に挟んで前記側面板同士が対向した状態で、前記連結板により連結された２枚の前記棚板が上下に交互に重なり合うように組み合わせられ、前記側面板間の距離が調整されることにより全体の幅が変更される、ユニット本棚。
【請求項２】
前記２つの本棚パーツは、それぞれ、前記本棚パーツの背面、および前記側面板と反対側の前記本棚パーツの側面に着脱可能で、前記側面板と対をなす側面板としても機能させることができる背板をさらに含み、前記背板が前記側面板と反対側の側面に取り付けられ、当該背板が前記側面板と対をなす側面板として機能することにより、それぞれ独立した本棚として使用できるように形成されている、請求項１記載のユニット本棚。
【発明の詳細な説明】
【技術分野】
【０００１】
この発明は、複数の本棚パーツを含むユニット本棚に関する。
【背景技術】
【０００２】
複数の本棚パーツを含むユニット本棚が知られている（たとえば特許文献１参照）。
【先行技術文献】
【特許文献】
【０００３】
【特許文献１】特開２００８−６２６１号公報
【発明の概要】
【発明が解決しようとする課題】
【０００４】
ユーザーの使用状況に柔軟に対応できるユニット本棚が求められている。より具体的には、たとえば、部屋の間取りやレイアウトに柔軟に対応できるユニット本棚や、本棚を必要とする人数の増減に柔軟に対応できるユニット本棚が求められている。
この発明は、かかる背景のもとでなされたものであり、ユーザーの使用状況に柔軟に対応できるユニット本棚を提供することを目的とする。
【課題を解決するための手段】
【０００５】
請求項１記載の発明は、組み合わせ可能な同一形状の２つの本棚パーツを含むユニット本棚であって、前記２つの本棚パーツは、それぞれ、鉛直な姿勢で配置された側面板と、上下に間隔を隔てて水平な姿勢で配置され、前記側面板の下端および前記側面板を上下に複数個に略等分割する位置にそれぞれ一端が固定された４以上の偶数枚の棚板と、最も下方に位置する前記棚板から順に、上下に隣接する２枚の前記棚板の他端同士をひとつ置きに連結する複数枚の連結板とを含み、前記２つの本棚パーツは、一方の前記本棚パーツの上下が反転され互いの前記棚板および連結板を間に挟んで前記側面板同士が対向した状態で、前記連結板により連結された２枚の前記棚板が上下に交互に重なり合うように組み合わせられ、前記側面板間の距離が調整されることにより全体の幅が変更される、ユニット本棚である。
【０００６】
請求項２記載の発明は、前記２つの本棚パーツは、それぞれ、前記本棚パーツの背面、および前記側面板と反対側の前記本棚パーツの側面に着脱可能で、前記側面板と対をなす側面板としても機能させることができる背板をさらに含み、前記背板が前記側面板と反対側の側面に取り付けられ、当該背板が前記側面板と対をなす側面板として機能することにより、それぞれ独立した本棚として使用できるように形成されている、請求項１記載のユニット本棚である。
【発明の効果】
【０００７】
請求項１記載の発明によれば、２つの本棚パーツを組み合わせた状態で、側面板間の距離を調整して、棚板同士の重なり具合を変更することにより、ユニット本棚全体の幅を伸縮させることができる。したがって、ユニット本棚が配置される部屋の間取りや、ユニット本棚のレイアウト等に応じてユニット本棚全体の幅を調整することができる。また、ユニット本棚全体の幅を調整することにより、本の収納量を増減させることができる。したがって、収納される本の量に応じたユニット本棚を構成することができ、本の量が増減する場合でも、本発明に係るユニット本棚を長期にわたって使用することができる。また、本棚を必要とする人数が増減する場合（たとえば１人から２人に増加する場合）でも柔軟に対応することができる。しかも、２つの本棚パーツが同一形状であるから、各本棚パーツの設計および製造を共通化でき、ユニット本棚の製造コストを低減できる。したがって、廉価なユニット本棚をユーザーに提供することができる。
【０００８】
請求項２記載の発明によれば、本棚パーツの背面に背板を取り付けることにより、本棚パーツの強度および安定感を増加させることができる。また、側面板と反対側の本棚パーツの側面に背板を取り付けて、この背板を側面板として機能させることにより、本棚パーツを独立した本棚として使用することができる。したがって、２つの本棚パーツを分離させてそれぞれ独立した本棚として使用することができる。そのため、本棚を必要とする人数が増減する場合でも柔軟に対応することができる。また、２つの本棚パーツを分離させて使用できるので、レイアウトの自由度が高い。
【図面の簡単な説明】
【０００９】
【図１】本発明の一実施形態に係るユニット本棚の概略図である。
【図２】本発明の一実施形態に係るユニット本棚の使用例を示す正面図である。
【図３】本発明の一実施形態に係るユニット本棚の使用例を示す正面図である。
【図４】本発明の一実施形態に係る本棚パーツ単独での使用例を示す正面図である。
【発明を実施するための形態】
【００１０】
以下では、本発明の実施の形態を、添付図面を参照して詳細に説明する。
図１は、本発明の一実施形態に係るユニット本棚１の概略図であり、図２〜図３は、ユニット本棚１の使用例を示す正面図である。また、図４は、本発明の一実施形態に係る本棚パーツ２単独での使用例を示す正面図である。図１において、（ａ）は、ユニット本棚１の正面図であり、（ｂ）は、ユニット本棚１の右側面図であり、（ｃ）は、ユニット本棚１の平面図である。以下では、図１を参照して、本発明の一実施形態に係るユニット本棚１について説明する。また、以下の説明において、図２〜図４を適宜参照する。
【００１１】
ユニット本棚１は、たとえば木製の部材を主として構成されたものであり、同一形状の２つの本棚パーツ２を備えている。２つの本棚パーツ２は、それぞれ独立した本棚としても使用できるし、互いに組み合わされた状態で１つの本棚としても使用できる。図１（ａ）、図２、および図３では、右側の本棚パーツ２の上下が反転された状態で、２つの本棚パーツ２が組み合わされた状態を示している。
【００１２】
各本棚パーツ２は、図１（ａ）に示すように、鉛直な姿勢で配置された側面板３と、上下に間隔を隔てて水平な姿勢で配置された４以上の偶数枚（たとえば、４枚）の棚板４と、上下に隣接する２枚の棚板４をそれぞれ連結する複数枚（たとえば、２枚）の連結板５と、側面板３と連結板５との間に配置された複数枚（たとえば、４枚）の横板６と、本棚パーツ２の背面２ａに取り付けられた背板７とを備えている。
【００１３】
図１（ｂ）に示すように、各側面板３は、たとえば、上下に長い長方形状の輪郭を有する枠状に形成されており、一対の縦板８と、一対の横板９と、複数枚（たとえば、３枚）の仕切板１０とを備えている。一対の縦板８は、それぞれ上下に長い長方形状であり、ユニット本棚１の前後方向Ｘ１に沿う姿勢で前後に間隔を隔てて平行に配置されている。前側の縦板８（図１（ｂ）では左側の縦板８）の前端部外側には、面取り部１１が設けられており、上端から下端にわたって縦板８の角部が除去されている。また、一対の横板９は、それぞれ、前後方向Ｘ１に長い長方形状であり、鉛直な姿勢で一対の縦板８の上端部間および下端部間に配置されている。一対の縦板８の上端部同士は、上側の横板９によって連結されており、一対の縦板８の下端部同士は、下側の横板９によって連結されている。また、複数枚の仕切板１０は、それぞれ、前後方向Ｘ１に長い長方形状であり、鉛直な姿勢で一対の横板９間に配置されている。複数枚の仕切板１０は、一対の横板９間において、横板９間を上下に等分割するように間隔を隔てて配置されている。各仕切板１０の一端および他端は、それぞれ一対の縦板８に固定されている。
【００１４】
複数枚の棚板４は、図１（ｃ）に示すように、それぞれユニット本棚１の左右方向Ｙ１に長い長方形状であり、上下に間隔を隔てて水平な姿勢で配置されている。図１（ａ）に示すように、複数枚の棚板４の一端は、それぞれ、側面板３の下端、および側面板３を上下に複数個（たとえば、４個）に略等分割する位置に固定されている。最も下方に位置する棚板４は、下面の高さが側面板３の下面と一致するように側面板３に固定されている。したがって、図１（ａ）の左側の本棚パーツ２は、側面板３の下面および最も下方に位置する棚板４の下面によって支持されている。最も下方に位置する棚板４は、本棚パーツ２の底板としても機能する。また、図１（ａ）の右側の本棚パーツ２のように、本棚パーツ２の上下が反転されると、この棚板４は、本棚パーツ２の天板として機能する。
【００１５】
図１（ａ）に示すように、一番下の棚板４の下面から下から２番目の棚板４の上面までの高さＨ１は、一番上の棚板４の上面から側面板３の上端までの高さＨ４とほぼ等しくされている（Ｈ１≒Ｈ４）。また、下から２番目の棚板４の上面から下から３番目の棚板４の下面までの高さＨ２は、下から３番目の棚板４の下面から一番上の棚板４の上面までの高さＨ３よりもやや大きくされている（Ｈ２＞Ｈ３）。したがって、図２に示すように、上下が反転された右側の本棚パーツ２の２枚の棚板４を、上下が反転されていない左側の本棚パーツ２の棚板４間に進入させて、右側の本棚パーツ２の棚板４を左側の本棚パーツ２の棚板４によって下方から支持することができる。これにより、連結板５により連結された２枚の棚板４が上下に交互に重なり合うように２つの本棚パーツ２を組み合わせることができる。また、図１（ａ）、図２、および図３を比較すると分るように、互いの棚板４等を間に挟んで対向する側面板３間の距離を調整して、棚板４同士の重なり具合を変更することにより、ユニット本棚１全体の幅Ｗ１を本棚パーツ２単独の幅とほぼ等しい大きさからこの２倍弱の大きさの範囲内で伸縮させることができる。
【００１６】
複数枚の連結板５は、矩形状であり、図１（ａ）に示すように、上下に間隔を隔てて鉛直な姿勢で配置されている。複数枚の連結板５は、最も下方に位置する棚板４から順に、上下に隣接する２枚の棚板４の他端同士をひとつ置きに連結している。各連結板５の高さは、対応する２つの棚板４間の距離とほぼ等しい大きさに形成されており、各連結板５の奥行は、棚板４の奥行とほぼ等しい大きさに形成されている。各連結板５の上端は、対応する２つの棚板４のうち上側の棚板４の他端に固定されており、各連結板５の下端は、対応する２つの棚板４のうち下側の棚板４の他端に固定されている。また、図１（ｃ）に示すように、前後方向Ｘ１に関して、各連結板５の前端の位置は、各棚板４の前端と一致しており、各連結板５の後端の位置は、各棚板４の後端と一致している。
【００１７】
複数枚の横板６は、図１（ａ）に示すように、左右方向Ｙ１に長い長方形状であり、各棚板４および各連結板５に直交する鉛直な姿勢で、上下に間隔を隔てて配置されている。この実施形態では、側面板３と各連結板５との間に、横板６がたとえば２枚ずつ配置されている。対をなす２枚の横板６のうち上側の横板６の左右の端部は、当該横板６の上面が棚板４の下面後端に接する状態で、それぞれ側面板３および対応する連結板５に固定されている。また、対をなす２枚の横板６のうち下側の横板６の左右の端部は、当該横板６の下面が棚板４の上面後端に接する状態で、それぞれ側面板３および対応する連結板５に固定されている。
【００１８】
各背板７は、側面板３と同一形状に形成されている。したがって、この実施形態では、各背板７が、縦板８、横板９、および仕切板１０に対応する複数の平板によって形成されている。図１（ｃ）に示すように、各背板７は、対応する側面板３と直交する鉛直な姿勢で、対応する側面板３の後端と背板７の一端とが前後に重なるように、本棚パーツ２に取り付けられている。また、図１（ａ）に示すように、各背板７の上端および下端の高さは、それぞれ、対応する側面板３の上端および下端と一致している。背板７の上端の高さが側面板３の上端と一致しているので、図１（ａ）の右側の本棚パーツ２のように、本棚パーツ２の上下を反転させた場合でも、互いに直交する背板７の上端および側面板３の上端によって本棚パーツ２全体が安定して支持される。
【００１９】
また、各背板７は、対応する本棚パーツ２に着脱可能に形成されており、本棚パーツ２の背面２ａ、または側面板３と反対側の本棚パーツ２の側面２ｂに取り付けられる。図４に示すように、背板７が本棚パーツ２の側面２ｂに取り付けられるときは、各背板７が、対応する側面板３に対して複数の棚板４等を間に挟んで平行に対向する鉛直な姿勢で、各連結板５の他端に取り付けられる。また、このとき背板７の上端および下端の高さは、それぞれ、側面板３の上端および下端と一致する。各背板７は、対応する本棚パーツ２の側面２ｂに取り付けられることにより、側面板３と対をなす側面板として機能する。したがって、各本棚パーツ２の側面２ｂに背板７を取り付けることにより、各本棚パーツ２を独立した本棚としても使用できる。
【００２０】
以上のように本実施形態では、２つの本棚パーツ２を組み合わせた状態で、側面板３間の距離を調整して、ユニット本棚１全体の幅Ｗ１を伸縮させることができる。したがって、ユニット本棚１が配置される部屋の間取りや、ユニット本棚１のレイアウト等に応じてユニット本棚１全体の幅Ｗ１を調整することができる。また、ユニット本棚１全体の幅Ｗ１を調整することにより、本の収納量を増減させることができる。したがって、収納される本の量に応じたユニット本棚１を構成することができ、本の量が増減する場合でも、ユニット本棚１を長期にわたって使用することができる。また、本棚を必要とする人数が増減する場合（たとえば１人から２人に増加する場合）でも柔軟に対応することができる。しかも、２つの本棚パーツ２が同一形状であるから、各本棚パーツ２の設計および製造を共通化でき、ユニット本棚１の製造コストを低減できる。したがって、廉価なユニット本棚１をユーザーに提供することができる。
【００２１】
また、本棚パーツ２の背面２ａに背板７を取り付けることにより、本棚パーツ２の強度および安定感を増加させることができる。さらに、本棚パーツ２の側面２ｂに背板７を取り付けることにより、本棚パーツ２を独立した本棚として使用することができる。したがって、２つの本棚パーツ２を分離させてそれぞれ独立した本棚として使用することができる。そのため、本棚を必要とする人数が増減する場合でも柔軟に対応することができる。また、２つの本棚パーツ２を分離させて使用できるので、レイアウトの自由度が高い。
【００２２】
この発明の実施の形態の説明は以上であるが、この発明は、前述の実施形態の内容に限定されるものではなく、請求項記載の範囲内において種々の変更が可能である。例えば前述の実施形態では、ユニット本棚１が木製の部材を主として構成されている場合について説明したが、ユニット本棚１は、木材以外の材料（たとえば、合成樹脂や金属など）により形成された部材により構成されていてもよい。また、前述の実施形態では、側面板３および背板７がそれぞれ枠状に形成されている場合について説明したが、側面板３および背板７は、平板状であってもよい。その他、特許請求の範囲に記載された事項の範囲で種々の設計変更を施すことが可能である。
【符号の説明】
【００２３】
１        ユニット本棚
２        本棚パーツ
２ａ      背面
２ｂ      側面
３        側面板
４        棚板
５        連結板
７        背板
Ｗ１      幅
【図１】
2010279649.tif 000003
【図２】
2010279649.tif 000004
【図３】
2010279649.tif 000005
【図４】
2010279649.tif 000006